(57)【要約】【課題】読みやすさを低下させずに文字列を画面上に拡大表示する際に拡大後の漢字を正確に読み取り可能とする画像形成装置を提供する。【解決手段】表示部１１上に表示された文字列の選択を受け付ける選択部１５と、選択された文字列に含まれる漢字に対して相対的に画数の多い漢字が相対的に大きい拡大率となるように拡大率を指定する拡大率指定部１７と、指定された拡大率に基づいて文字列に拡大率の異なる複数の漢字が含まれる場合に、指定された複数の漢字の拡大率中の最大の拡大率を複数の漢字全てに対して再指定する拡大率再指定部１９と、複数の漢字を再指定された拡大率で拡大して表示部１１上での拡大表示を可能とする文字拡大部２１とを備える。【選択図】図１
2016206603.tif 000002
【特許請求の範囲】
【請求項１】
画面上に表示された文字列の選択を受け付ける選択部と、
前記選択された文字列に含まれる漢字に対して相対的に画数の多い漢字が相対的に大きい拡大率となるように拡大率を指定する拡大率指定部と、
前記指定された拡大率に基づいて前記文字列に拡大率の異なる複数の漢字が含まれる場合に、前記指定された複数の漢字の拡大率中の最大の拡大率を前記複数の漢字全てに対して再指定する拡大率再指定部と、
前記複数の漢字を前記再指定された拡大率で拡大して前記画面上での拡大表示を可能とする文字拡大部と、
を備えることを特徴とする画像形成装置。
【請求項２】
請求項１記載の画像形成装置であって、
前記拡大率指定部は、前記文字列に仮名が含まれる場合に、前記仮名が前記漢字よりも小さい拡大率となるように前記仮名に対する拡大率を指定し、
前記文字拡大部は、前記指定された拡大率で前記仮名を拡大して前記画面上での拡大表示を可能とする、
ことを特徴とする画像形成装置。
【請求項３】
請求項２記載の画像形成装置であって、
前記拡大率指定部は、前記漢字に対して前記仮名よりも大きな拡大率を指定し、且つ閾値以上の画数の漢字に対して更に大きな拡大率を指定する、
ことを特徴とする画像形成装置。
【請求項４】
請求項１〜３の何れか一項に記載の画像形成装置であって、
前記拡大率指定部は、自装置の言語設定が日本語以外の場合に、日本語以外の文字列に含まれる全ての文字を一定の拡大率に指定し、
前記文字拡大部は、前記日本語以外の文字列を前記指定された拡大率で拡大して前記画面上での拡大表示を可能とする、
ことを特徴とする画像形成装置。
【請求項５】
請求項１〜４の何れか一項に記載の画像形成装置であって、
前記画面上に拡大表示された文字列の選択を受け付ける拡大文字選択部と、
前記選択された文字列に含まれる拡大表示の漢字に対して、より小さい振り仮名を付与する振り仮名付与部と、
を備えることを特徴とする画像形成装置。
【請求項６】
請求項１〜５の何れか一項に記載の画像形成装置であって、
前記振り仮名付与部は、自装置の言語設定が日本語以外の場合に、日本語以外の文字列の読み方を振り仮名として付与する、
ことを特徴とする画像形成装置。
【請求項７】
画面上に表示された文字列の選択を受け付ける選択機能と、
前記選択された文字列に含まれる漢字に対して相対的に画数の多い漢字が相対的に大きい拡大率となるように拡大率を指定する拡大率指定機能と、
前記指定された拡大率に基づいて前記文字列に拡大率の異なる複数の漢字が含まれる場合に、前記指定された複数の漢字の拡大率中の最大の拡大率を前記複数の漢字全てに対して再指定する拡大率再指定機能と、
前記複数の漢字を前記再指定された拡大率で拡大して前記画面上での拡大表示を可能とする文字拡大機能と、
をコンピューターに実現させることを特徴とする画像処理プログラム。
【発明の詳細な説明】
【技術分野】
【０００１】
本発明は、画面上の文字列を拡大表示可能な画像形成装置及び画像処理プログラムに関する。
【背景技術】
【０００２】
文字列を画像として出力する画像形成装置においては、例えば特許文献１のように、入力された文字列を画面上に表示出力する際に、読みやすさの観点等から文字列を拡大するものがある。
【０００３】
特許文献１では、拡大後の文字列に含まれる漢字のフォントサイズを基準にして仮名のフォントサイズを小さくし、漢字のフォントサイズを仮名のフォントサイズよりも相対的に大きくすることで、より読みやすさを向上させている。
【０００４】
しかし、特許文献１では、一定の割合で仮名のフォントサイズを漢字のフォントサイズよりも小さくするものであるため、漢字相互のフォントサイズが一定であり、画数によっては拡大後の漢字であっても正確に読み取ることが困難な場合もある。
【先行技術文献】
【特許文献】
【０００５】
【特許文献１】２０１０−２２４０５６号公報
【発明の概要】
【発明が解決しようとする課題】
【０００６】
本発明が解決しようとする問題点は、文字列を画面上に拡大表示する際に、画数によっては拡大後の漢字であっても正確に読み取ることが困難なことがある点である。
【課題を解決するための手段】
【０００７】
本発明は、画面上に表示された文字列の選択を受け付ける選択部と、前記選択された文字列に含まれる漢字に対して相対的に画数の多い漢字が相対的に大きい拡大率となるように拡大率を指定する拡大率指定部と、前記指定された拡大率に基づいて前記文字列に拡大率の異なる複数の漢字が含まれる場合に、前記指定された複数の漢字の拡大率中の最大の拡大率を前記複数の漢字全てに対して再指定する拡大率再指定部と、前記複数の漢字を前記再指定された拡大率で拡大して前記画面上での拡大表示を可能とする文字拡大部とを備える画像形成装置を最も主な特徴とする。
【発明の効果】
【０００８】
本発明によれば、読み難くなることが予想される画数の多い漢字に対して画数に応じて相対的に大きい拡大率を指定することができ、拡大後の漢字を正確に読み取り可能とする。しかも、文字列に複数の漢字が含まれている場合には、複数の漢字の拡大率の中から最大の拡大率を複数の漢字全てに対して再指定するため、複数の漢字が同一の大きさで拡大表示されることになり、読みやすさの低下を抑制することができる。
【図面の簡単な説明】
【０００９】
【図１】本発明の実施例１に係る画像形成装置を示すブロック図である。
【図２】図１の画像形成装置の操作部の一例を示す概略平面図である。
【図３】文字列の選択及び拡大時の操作画面の一例である。
【図４】拡大率の再指定を示す概念図であり、図４（Ａ）は、再指定前の漢字を示し、図４（Ｂ）は、再指定後の漢字を示す。
【図５】日本語以外の文字列の選択及び拡大時の操作画面の一例を示す。
【図６】図１の画像形成装置による文字拡大処理の流れを示すフローチャートである。
【図７】本発明の実施例２に係る画像形成装置を示すブロック図である。
【図８】拡大表示された文字列の選択及び振り仮名付与時の操作画面の一例であり、図８（Ａ）は文字列の選択時、図８（Ｂ）は振り仮名付与時を示す。
【図９】拡大表示された日本語以外の文字列の選択及び振り仮名付与時の操作画面の一例であり、図９（Ａ）は文字列の選択時、図９（Ｂ）は振り仮名付与時を示す。
【図１０】図７の画像形成装置による振り仮名付与処理の流れを示すフローチャートである。
【発明を実施するための形態】
【００１０】
文字列を画面上に拡大表示する際に拡大後の漢字を正確に読み取り可能とするという目的を、相対的に画数の多い漢字が相対的に大きい拡大率となるように文字列に含まれる漢字の拡大率を指定し、指定された複数の漢字の拡大率中の最大の拡大率を複数の漢字全てに対して再指定し、複数の漢字を再指定された拡大率で拡大することにより、読みやすさを低下させずに実現した。
【実施例１】
【００１１】
［画像形成装置］
図１は、本発明の実施例１に係る画像形成装置を示すブロック図、図２は、図１の画像形成装置の操作部の一例を示す概略平面図である。
【００１２】
画像形成装置１は、例えばデジタル複合機等であり、プリント機能、コピー機能、ファクシミリ機能、電子メール送信機能等の各種の機能を有するものである。ただし、画像形成装置は、画面上に文字列を画像として出力可能な電子機器であればよく、パーソナルコンピューター、いわゆるモバイル端末、或は多機能携帯電話機等の情報処理装置であってもよい。
【００１３】
画像形成装置１は、通信Ｉ／Ｆ（インターフェイス）部３、操作部５、記憶部７、制御部９を備える。なお、画像形成装置１が有する各種の機能の構成は、周知のものであるため、詳細については省略する。
【００１４】
通信Ｉ／Ｆ部３は、ネットワークインタフェース等であり、外部の端末装置に対するデータの送受信を行う。
【００１５】
操作部５は、図２のように画面としての表示部１１やハードキー１３等を含む操作表示装置であり、画像形成装置１に対する操作入力や操作状況の表示を可能とする。表示部１１は、実施例１においてタッチパネル式となっており、画像形成装置１に対する操作画面のソフトキーや文字列等を画像として選択可能に表示する。
【００１６】
記憶部７は、処理に必要なデータやプログラムを記憶するＲＯＭ（Read Only Memory）、作業領域としてのＲＡＭ（Random Access Memory）、補助記憶装置としてのＨＤＤ（Hard Disk Drive）等を含む記憶装置である。
【００１７】
制御部９は、ＣＰＵ（central processing unit）等を含み、プログラムを実行して画像形成装置１の各部を制御する演算処理装置である。実施例１の制御部９は、プログラムの実行により、選択部１５、拡大率指定部１７、拡大率再指定部１９、文字拡大部２１として機能する。
【００１８】
選択部１５は、選択機能を実現し、表示部１１上に表示された文字列の選択を受け付ける。文字列は、記憶部７内のビットマップフォントを事前に設定された大きさに拡大又は縮小して表示されている。選択が受け付けられる文字列は、表示部１１上での大きさが読み難いと予想される特定の大きさ以下のものとする。ただし、全ての文字列に対して選択を受け付けてもよい。
【００１９】
文字列の選択は、例えばユーザーが表示部１１上で文字列を指によりタッチすると共にタッチ状態を一定時間保持する長押し等により受け付けられる。なお、情報処理装置等の場合は、指による長押しの他、ポインティングデバイスによる特定の選択操作等によっても文字列の選択を行わせることができる。
【００２０】
図３に文字列の選択及び拡大時の表示部１１の操作画面の一例を示す。図３の例では、表示部１１の操作画面上に「準備中です」の文字列が表示され、表示された「準備中です」の文字列をユーザーが長押しによって選択している。なお、文字列は、表示部１１での操作状況等に応じて適宜表示されるものであり、「準備中です」に限られるものではない。
【００２１】
拡大率指定部１７は、拡大率指定機能を実現し、相対的に画数の多い漢字が相対的に大きい拡大率となるように、選択された文字列に含まれる漢字に対して拡大率を指定する。
【００２２】
実施例１の拡大率指定部１７は、漢字だけでなく、文字列に含まれる仮名に対しても拡大率を指定する。仮名に対しては、漢字よりも小さい拡大率となるように拡大率を拡大率指定部１７が指定する。具体的には、拡大率指定部１７は、漢字に対して仮名よりも大きな拡大率を指定し、且つ閾値以上の画数の漢字に対して更に大きな拡大率を指定する。
【００２３】
拡大率の指定は、デフォルト設定等による仮名の拡大率、閾値を下回る画数の漢字の拡大率、及び閾値以上の画数の漢字の拡大率を参照することで実現できる。この場合、漢字に対しては、複数の閾値を設けて、段階的に拡大率を設定可能としてもよい。また、文字列に含まれる全ての文字の画数を取得し、取得した画数に応じて拡大率が上限及び下限の範囲内で漸次増加又は減少するように指定してもよい。
【００２４】
なお、仮名及び漢字の識別は、ＯＣＲ（optical character recognition）等の文字認識技術を利用して実現できる。また、漢字の画数は、記憶部７内の画数テーブル等を参照することにより取得することができる。
【００２５】
また、拡大率指定部１７は、画像形成装置１の言語設定が日本語以外の場合に、日本語以外の文字列に含まれる全ての文字を一定の拡大率に指定する。言語設定は、画像形成装置１を設置する際等に、設置地域に応じた言語に設定するものである。この言語設定に応じ、表示部１１上で使用される言語が変更される。
【００２６】
拡大率再指定部１９は、拡大率再指定機能を実現し、拡大率指定部１７で指定された拡大率に基づいて文字列に拡大率の異なる複数の漢字が含まれる場合に、指定された複数の漢字の拡大率から最大のものを複数の漢字全てに対して再指定する。
【００２７】
図４は、拡大率の再指定を示す概念図であり、図４（Ａ）は、指定された拡大率に基づいて拡大した状態の漢字を示し、図４（Ｂ）は、再指定された拡大率に基づいて拡大した漢字を示す。なお、図４では、複数の漢字が連続する「準備中」において、「中」の漢字のみが閾値を下回る画数である場合を例に説明する。
【００２８】
拡大率指定部１７で指定された拡大率は、「準備」の漢字に対して「中」の漢字よりも相対的に大きく設定されており、この状態では、図４（Ａ）のように「準備」と「中」の漢字の大きさが異なっていることになる。
【００２９】
これに対し、拡大率再指定部１９は、「準備中」の漢字の拡大率の内、最大となる「準備」の漢字の拡大率を「中」の漢字に対して再指定する。このため、図４（Ｂ）のように、「中」と「準備」の漢字が同じ大きさになる。
【００３０】
文字拡大部２１は、文字拡大機能を実現し、複数の漢字を再指定された拡大率で拡大して表示部１１上での拡大表示を可能とする。仮名に対しては、文字拡大部２１が指定された拡大率で拡大する。こうして拡大された文字列は、表示部１１上で拡大表示されることになる。
【００３１】
図３の例では、「準備中」の漢字が「です」の仮名よりも相対的に大きく拡大され、且つ「中」の漢字が「準備」の漢字に合わせた大きさで「準備中」の複数の漢字が拡大され、表示部１１上に拡大表示されている。
【００３２】
なお、漢字及び仮名の文字列の拡大は、例えば表示部１１に表示中の文字列のビットマップフォントをアウトラインフォントに変換した上で行われる。これにより、拡大後のジャギー等を抑制して文字列の読みやすさが向上される。
【００３３】
また、文字拡大部２１は、画像形成装置１の言語設定が日本語以外の場合に、拡大率指定部１７で指定された拡大率で日本語以外の文字列を拡大して表示部１１上での拡大表示を可能とする。
【００３４】
図５は、日本語以外の文字列の拡大時の表示部１１の操作画面の一例を示す。図５の例では、言語設定が英語の場合に表示部１１の操作画面上に「processing」の文字列が表示され、表示された文字列に含まれる各文字が同じ大きさで拡大表示されている。
【００３５】
［文字拡大処理］
図６は、図１の画像形成装置による文字拡大処理の流れを示すフローチャートである。文字拡大処理は、表示部１１で操作状況等に応じた文字列が表示されることで開始され、画像処理プログラムによる選択機能、拡大率指定機能、拡大率再指定機能、文字拡大機能が画像形成装置１で実現されることによってステップＳ１から始まる処理が実行される。
【００３６】
ステップＳ１では、「表示部上の特定の大きさ以下の文字列が選択されたか？」の判断が実行される。すなわち、選択部１５は、表示部１１上で選択が受け付け可能な特定の大きさ以下の文字列が長押し等によって選択されたか否かを判断する。
【００３７】
特定の大きさ以下の文字列が選択された場合はステップＳ２へ移行し（ＹＥＳ）、そうでない場合は処理を終了させる（ＮＯ）。なお、処理を終了させる場合は、文字列が表示されてから特定時間が経過するまではステップＳ１の処理を繰り返し、特定時間の経過後に処理を終了させてもよい。
【００３８】
ステップＳ２では、「言語設定が日本語であるか？」の判断が実行される。すなわち、拡大率指定部１７は、画像形成装置１の言語設定を確認し、設定されている言語が日本語であるか否かを判断する。
【００３９】
言語設定が日本語である場合は、ステップＳ３へ移行し（ＹＥＳ）、言語設定が日本語以外である場合は、ステップＳ７へ移行する（ＮＯ）。
【００４０】
ステップＳ３では、「漢字を仮名よりも大きい拡大率に指定」が実行される。すなわち、拡大率指定部１７は、ステップＳ１で長押しによって選択された日本語の文字列の拡大率を指定する。このとき、拡大率指定部１７は、文字列に含まれる漢字を仮名よりも大きい拡大率に指定する。こうしてステップＳ３が完了すると、ステップＳ４へ移行する。
【００４１】
ステップＳ４では、「閾値以上の画数の漢字が含まれているか？」の判断が実行される。すなわち、拡大率指定部１７は、文字列に閾値以上の画数の漢字が含まれているか否かを判断する。
【００４２】
閾値以上の画数の漢字が含まれている場合はステップＳ５へ移行し（ＹＥＳ）、そうでなければステップＳ８へ移行する（ＮＯ）。なお、拡大率指定のために複数の閾値が設定されている場合は、第１閾値以上の画数の漢字の有無を判断した後に第２閾値以上の画数の漢字の有無を判断するといったように、閾値以上の画数の漢字の有無を段階的に判断すればよい。
【００４３】
ステップＳ５では、「閾値以上の画数の漢字を更に大きい拡大率に指定」が実行される。すなわち、拡大率指定部１７は、文字列に含まれる閾値以上の画数の漢字を、閾値を下回る画数の漢字よりも大きい拡大率に指定（変更）する。これにより、例えば図４（Ａ）で概念的に示すように、文字列に含まれる複数の漢字に対して異なる拡大率が指定されることになる。こうしてステップＳ５が完了すると、ステップＳ６へ移行する。
【００４４】
ステップＳ６では、「閾値を下回る漢字の拡大率を再指定」が実行される。すなわち、拡大率再指定部１９は、閾値を下回る漢字の拡大率を閾値以上の漢字の拡大率に再指定する。これにより、例えば図４（Ｂ）で概念的に示すように、文字列に含まれる複数の漢字全てに対して最大の拡大率が指定される。こうしてステップＳ６が完了すると、ステップＳ８へ移行する。
【００４５】
なお、拡大率の指定のために複数の閾値が設定されている場合は、複数の漢字に対して三つ以上の拡大率が指定されることがある。この場合は、複数の漢字の内の最大の拡大率を、複数の漢字の全てに再指定すればよい。
【００４６】
一方、ステップＳ７では、「全ての文字を一定の拡大率に指定」が実行される。すなわち、拡大率指定部１７は、選択された日本語以外の文字列に含まれるすべての文字を一定の拡大率に指定する。こうしてステップＳ７が完了すると、ステップＳ８へ移行する。
【００４７】
ステップＳ８では、「文字列の拡大表示」が実行される。すなわち、文字拡大部２１は、表示部１１で表示中の文字列のビットマップフォントをアウトラインフォントに変換した上で、指定された拡大率又は再指定された拡大率に応じて文字列を拡大する。拡大された文字列は、図３又は図５のように表示部１１上で表示されることになる。
【００４８】
日本語の文字列に閾値以上の漢字が含まれていない場合（ステップＳ４から移行した場合）は、文字列中の漢字及び仮名を指定された拡大率で拡大した拡大表示用の文字列が得られる。
【００４９】
日本語の文字列に閾値以上の漢字が含まれている場合（ステップＳ６から移行した場合）は、文字列中の漢字を際してされた拡大率及び仮名を指定された拡大率で拡大した拡大表示用の文字列が得られる。
【００５０】
何れの場合でも、図３のように、得られた文字列によって、複数の漢字が同一の大きさ、複数の仮名が漢字よりも小さい同一の大きさで表示部１１に拡大表示が行われる。
【００５１】
一方、日本語以外の文字列の場合（ステップＳ７から移行した場合）は、文字列中の文字が指定された拡大率で拡大した拡大表示用の文字列が得られ、図５のように全ての文字が同一の大きさで表示部１１に拡大表示される。
【００５２】
［実施例１の効果］
以上説明したように、実施例１の画像形成装置１は、表示部１１上に表示された文字列の選択を受け付ける選択部１５と、選択された文字列に含まれる漢字に対して相対的に画数の多い漢字が相対的に大きい拡大率となるように拡大率を指定する拡大率指定部１７と、指定された拡大率に基づいて文字列に拡大率の異なる複数の漢字が含まれる場合に、指定された複数の漢字の拡大率中の最大の拡大率を複数の漢字全てに対して再指定する拡大率再指定部１９と、複数の漢字を再指定された拡大率で拡大して表示部１１上での拡大表示を可能とする文字拡大部２１とを備える。
【００５３】
従って、実施例１の画像形成装置１は、読み難くなることが予想される画数の多い漢字に対して画数に応じて相対的に大きい拡大率を指定することができ、拡大後の漢字を正確に読み取り可能とする。
【００５４】
しかも、文字列に複数の漢字が含まれている場合には、複数の漢字の拡大率の中から最大の拡大率を複数の漢字全てに対して再指定するため、複数の漢字が同一の大きさで拡大表示されることになり、読みやすさの低下を抑制することができる。
【００５５】
特に、複数の漢字が連続する単語、例えば図３の「準備中」等においては、読みやすさを著しく向上することができる。
【００５６】
また、実施例１の画像形成装置１では、拡大率指定部１７が、文字列に仮名が含まれる場合に、仮名が漢字よりも小さい拡大率となるように仮名に対する拡大率を指定し、文字拡大部２１が、指定された拡大率で仮名を拡大して表示部１１上での拡大表示を可能とする。
【００５７】
従って、実施例１の画像形成装置１では、図３の「準備中です」のように仮名を漢字よりも小さくしつつ文字列を拡大表示することにより、文字列に漢字と仮名とが併存する場合の読みやすさを更に向上することができる。
【００５８】
この場合、拡大率指定部１７は、文字列中の漢字に対して仮名よりも大きな拡大率を指定し、且つ閾値以上の画数の漢字に対して更に大きな拡大率を指定する。
【００５９】
従って、実施例１の画像形成装置１では、仮名に対する漢字よりも小さい拡大率の指定と漢字に対する画数に応じた拡大率の指定とを、容易且つ確実に実現することができる。
【００６０】
また、実施例１は、拡大率指定部１７が、画像形成装置１の言語設定が日本語以外の場合に、日本語以外の文字列に含まれる全ての文字を一定の拡大率に指定し、文字拡大部２１が、日本語以外の文字列を指定された拡大率で拡大して表示部１１上での拡大表示を可能とする。
【００６１】
従って、実施例１では、画像形成装置１の言語設定が日本語以外の場合でも、選択された文字列の拡大表示を行わせることができる。
【実施例２】
【００６２】
［画像形成装置］
図７は、本発明の実施例２に係る画像形成装置を示すブロック図である。なお、実施例２は、基本構成が実施例１と共通するため、対応する構成部分に同符号を付して重複した説明を省略する。
【００６３】
実施例２の画像形成装置１は、拡大表示した文字列の漢字に、より小さい大きさの振り仮名を付与するものである。このため、画像形成装置１の制御部９は、拡大文字選択部２３及び振り仮名付与部２５としても機能する。
【００６４】
拡大文字選択部２３は、拡大文字選択機能を実現し、表示部１１上に拡大表示された文字列の選択を受け付ける。図８に、拡大表示された文字列の選択及び振り仮名付与時の表示部１１の操作画面の一例を示す。図８の例では、図８（Ａ）のように、表示部１１の操作画面上に「準備中です」の文字列が拡大表示され、拡大表示された文字列中の一部である「準備中」の漢字をユーザーが選択している。
【００６５】
拡大された文字列の選択は、例えばユーザーが表示部１１上で文字列の任意の範囲を指によりタッチしつつスライドさせるスライド操作やドラッグ操作することで、ユーザーによる操作範囲の文字列に対して受け付けられる。なお、情報処理装置等の場合は、ポインティングデバイスによるドラッグ操作等によっても文字列の選択を行わせることができる。
【００６６】
振り仮名付与部２５は、振り仮名付与機能を実現し、選択された拡大表示の文字列に含まれる漢字に対して、より小さい振り仮名を付与する。振り仮名を付与する際は、例えば拡大率指定部１７での文字認識結果を利用して、振り仮名付与部２５が記憶部７から読み方に対応するビットマップフォントを取得する。そして、振り仮名付与部２５は、取得したビットマップフォントをアウトラインフォントに変換した上で拡大又は縮小して振り仮名を作成し、表示部１１で拡大表示中の文字列の一部に含まれる漢字の上方に振り仮名を表示させる。
【００６７】
図８の例では、図８（Ｂ）のように、拡大表示された文字列中の一部である「準備中」の漢字の上方に、「じゅんびちゅう」の振り仮名が付与されている。
【００６８】
また、振り仮名付与部２５は、画像形成装置１の言語設定が日本語以外の場合に、日本語以外の文字列の読み方を振り仮名として付与する。この場合は、ユーザーが文字列の一部のみを選択しても、拡大表示中の文字列全体に対して振り仮名が付与される。
【００６９】
図９は、拡大表示された日本語以外の文字列の選択及び振り仮名付与時の表示部１１の操作画面の一例を示す。図９の例では、図９（Ａ）のように、言語設定が英語の場合に表示部１１の操作画面上に「processing」の文字列が拡大表示され、拡大表示された文字列をユーザーが選択している。これにより、図９（Ｂ）のように、選択された文字列の上方に、読み方である「ぷろせっしんぐ」が振り仮名として付与されている。
【００７０】
［振り仮名付与処理］
図１０は、図７の画像形成装置による振り仮名付与処理の流れを示すフローチャートである。
【００７１】
振り仮名付与処理は、実施例１のように文字列の拡大表示がなされたときに開始される。
【００７２】
ステップＳ２１では、「拡大表示中の文字列が選択されたか？」の判断が実行される。すなわち、拡大文字選択部２３は、表示部１１上で拡大表示中の文字列に対するスライド操作やドラッグ操作等の選択を受け付けたか否かを判断する。
【００７３】
拡大表示中の文字列の選択を受け付けた場合はステップＳ２２へ移行し（ＹＥＳ）、そうでない場合は処理を終了させる（ＮＯ）。なお、処理を終了させる場合は、文字列が拡大表示されてから特定時間が経過するまではステップＳ２１の処理を繰り返し、特定時間の経過後に処理を終了させてもよい。
【００７４】
ステップＳ２２では、「言語設定が日本語であるか？」の判断が実行される。すなわち、振り仮名付与部２５は、画像形成装置１の言語設定を確認し、設定されている言語が日本語であるか否かを判断する。なお、ここでは、実施例１のステップＳ２の判断結果を利用してもよい。
【００７５】
言語設定が日本語である場合は、ステップＳ２３へ移行し（ＹＥＳ）、言語設定が日本語以外である場合は、ステップＳ２４へ移行する（ＮＯ）。
【００７６】
ステップＳ２３では、「選択された文字列中の漢字に対する振り仮名の付与」が実行される。すなわち、振り仮名付与部２５は、ステップＳ２１での文字列の選択部分に含まれる漢字に対し、例えば図８のように上方に振り仮名を位置させて表示部１１上で表示させる。
【００７７】
一方、ステップＳ２４では、「日本語以外の文字列に対する読み方の付与」が実行される。画像形成装置１の言語設定が日本語以外である場合は、例えば図９のように文字列に対する読み方が振り仮名として表示部１１上で表示される。なお、日本語以外の場合は、単語の意味等を振り仮名に代えて又は振り仮名と共に表示してもよい。
【００７８】
［実施例２の効果］
以上説明したように、実施例２の画像形成装置１は、表示部１１上に拡大表示された文字列の選択を受け付ける拡大文字選択部２３と、拡大表示中の文字列の選択部分に含まれる漢字に対して、より小さい振り仮名を付与する振り仮名付与部２５とを備える。
【００７９】
従って、実施例２では、拡大表示中の漢字に対して振り仮名を付与することができ、振り仮名の読みやすさを向上することができる。
【００８０】
振り仮名付与部２５は、画像形成装置１の言語設定が日本語以外の場合であっても、日本語以外の文字列の読み方を振り仮名として付与することができる。
【００８１】
その他、実施例２でも、実施例１と同様の作用効果を奏することができる。
【符号の説明】
【００８２】
１  画像形成装置
１５  選択部
１７  拡大率指定部
１９  拡大率再指定部
２１  文字拡大部
２３  拡大文字選択部
２５  振り仮名付与部
【図１】
2016206603.tif 000003
【図４】
2016206603.tif 000004
【図６】
2016206603.tif 000005
【図７】
2016206603.tif 000006
【図１０】
2016206603.tif 000007
【図２】
2016206603.tif 000008
【図３】
2016206603.tif 000009
【図５】
2016206603.tif 000010
【図８】
2016206603.tif 000011
【図９】
2016206603.tif 000012